(57)【要約】【課題】増加高層化する都会の高層ビルやマンションは、緑に接する機会を少なくし、味気ない街並みと、ヒートアイランド現象などの元となりつつあるが、安価で維持管理の容易な緑化装置がほとんど実現できていない。【解決手段】省エネや美しい景観、生活への潤いとなる緑化空間を高層ビルやマンションの各フロアーごとに実現するため、架台に上下２段の栽培槽と天井まで伸ばした突っ張り棒を設置し、上下の栽培槽間に液肥を循環させ、上段の栽培槽でつる性植物を育成し、突っ張り棒の間に設けたラックにつる性植物の緑化空間を構成する。また、下段の栽培槽では水耕栽培に適した好みの植物を栽培できるようにした。【選択図】図１
2015112100.tif 000002
【特許請求の範囲】
【請求項１】
植物を栽培するための栽培槽を上下２段になるよう架台にのせ、下段の栽培槽に設置された水中ポンプから吐出した液肥をポンプに直結された配水管により、上段の栽培槽の底部に設置された多数の給水孔を有する導水管に送り込み植栽物に液肥を供給し、余剰の液肥を下段の栽培槽の底部に設置された多数の給水孔を有する導水管に導いて下段の栽培槽の植栽物に液肥を供給し、この上下段２台の栽培槽間の液肥の循環により植物の長期間の育成を可能とすることを特徴とする緑化装置。
【請求項２】
前記栽培槽の架台は、前後に合計４本の脚を持ち、そのうち前後いずれかの２本の脚は天井部に押し付けて固定するための突っ張り棒を取り付けることが可能な構造とし、その突っ張り棒の間に格子状のラックやネットを取り付け、上段の栽培槽には常緑のつる性植物を栽培してラック上に繁茂させることで、ビルの窓際などに緑化空間を作ることを特徴とする請求項１に記載の緑化装置。
【請求項３】
前記栽培槽のうち、下段の栽培槽には水耕栽培に適したシダ類などの草花やイチゴなどの果物を栽培し、上段の栽培槽に植生したつる性植物による広い範囲の緑化空間の実現とともに、下段の栽培槽では設置者の好みに応じて楽しむことのできる植物を同時に育成することを特徴とした請求項１乃至２に記載の緑化装置。
【請求項４】
給水ポンプを下段の栽培槽に内蔵するのではなく、別置きの共用液肥タンクの中に必要数の給水ポンプを設置し、各ポンプの給水を併設した緑化装置の、それぞれ上段の栽培槽の導水管に送り込み植栽物に液肥を供給し、余剰の液肥を下段の栽培槽の底部に設置された導水管に戻して下段の栽培槽の植栽物に液肥を供給して残りの液肥を共用液肥タンクに戻す構造とし、この液肥の循環により、複数の緑化装置を共用の液肥タンクの水の補給と施肥の管理で一元的に行うことを特徴とする請求項１乃至３に記載の緑化装置。
【発明の詳細な説明】
【技術分野】
【０００１】
本発明は、プランター内部の液肥を循環させることにより植物を水耕栽培し、マンションのベランダや高層ビルの窓際などを低コストで容易かつ安定的に緑化するための緑化装置に関する。
【背景技術】
【０００２】
マンションのベランダや高層ビルの室内などを緑で彩ることは、住居や職場の環境改善に効果が大きく、従来から高いコストや多くの手間をかけても可能な限り実施されてきた。それは、植物が人の心や街の景観に多くの良好な効果をもたらすとともに、省エネ効果としても大きな期待が持てるからである。しかし、今日までベランダの緑化は、人工土を入れたプランターに植物を植栽し、毎日欠かさず水やりを行う方法が一般的であり、夏などは一日も水やりを欠かすことができないため、家を空けることもできないなどの不都合があった。
【０００３】
また、高層ビルのマンションや事務所などにおいては、建設コストや維持管理の困難性から壁面緑化は種々提案はされてはいるが緑化が普及しているとはいえない。もし高層ビルで人の近くに緑を確保することを希望するならば、鉢植えの植栽物を置き、毎日の世話をし、定期的に業者による鉢の入れ替えを行い、業者は持ち帰った植物に専門的なケアを行い植物の状態を回復させ、また顧客の建物に持ち込むといったローテーションを行うことで、緑が確保されていた。このように緑化のためには、多くの手間とコストがかかるという問題があった。
【０００４】
最近では、壁面や衝立状に配置された多数のボックスに、ポットに植えて育成した植栽物をはめ込み、上部から液肥を垂れ流し、下部で余剰液肥を回収する方法、あるいは、給水タンクに浸した導水シートの毛細管現象により植栽基盤に水分を供給して育成でする方法などにより、身近に緑を確保する緑化方法も提案されている。しかし、この方法も装置が大掛かりになるため多額のコストがかかるうえに、植栽物の水分供給量の調整や採光の調整、室内の湿度管理の問題など一般的には採用が困難な課題が多かった。（例えば、特許文献１参照）。
【０００５】
特許文献２特開２００９−２９１１８４号公報では、植物のカーテンが提案されているが、これは上部に設置した栽培槽に下垂性のヘデラを育成し、ベランダの緑化を行うもので、すでに実績もある低コストで安定的な緑化方法として評価されているが、本発明の緑化装置は例えば２台の栽培槽を架台にのせ上段の栽培槽につる性植物を植栽し下から上に伸張させ広い範囲の緑化空間を実現させ、下段の栽培槽は設置主の好みに応じて種々の植栽物を育成できるといった点が大きく異なり、デザイン性も異なっていることから、構成、機能、効果のいずれにおいても大きく異なる。
【先行技術文献】
【特許文献】
【０００６】
【特許文献１】特開２０１０−１７１６１号公報
【特許文献２】特開２００９−２９１１８４号公報
【発明の概要】
【発明が解決しようとする課題】
【０００７】
以上に述べた従来の緑化装置では、コストがかさむうえ、与える水の量や採光量、設置場所など、植栽物に適合した最適の環境を与えるうえにおいて多くの課題があり、長期間にわたり安定的に育成することが困難な場合があった。
【０００８】
また、植栽物の土壌の給水面積が広いことから、植物への補給量以上に、栽培土壌からの水分の蒸発量が多くなり、季節や気候によっては室内の湿度が高まり過ぎるという問題が生じる恐れがあった。
【０００９】
さらには、緑化面を大きくするためには、従来の技術では一般的に重量が大きくなり過ぎ、室内の希望する場所に移動させるにしても多々問題があった。
【００１０】
本発明は、小さな栽培槽で、つる性植物を育成し立体的に構成できることから、このような従来の緑化装置が有していた問題を解決し、極めて低コストで、しかも軽量であることから設置場所の変更が容易な緑化装置となっている。また、多段構造の栽培槽も可能とし、上段の栽培槽への植栽物にはヘデラカナリエンシスなど常緑で葉落ち率の少ないつる性植物を使用して何年間も継続的に緑化が行え、下段の栽培槽にはシダ類、ワサビ、クレソン、などの水耕に適した好みの植物を植え付けることができるものとし、自分で栽培することの楽しみも同時に実現することを目的とするものである。
【課題を解決するための手段】
【００１１】
本発明は上記目的を達成するために、一つ以上の栽培槽を備え、その栽培槽内部に、液肥循環のための水管系統、すなわち給水ポンプから供給する液肥を栽培槽に導く給水管と栽培槽内部に液肥を均等に噴出するための多数の給水孔を有する導水管と排水管を連結した構成とし、さらには上部栽培槽内部の排水口に吸気塔を備え、栽培植物の根が長年の成長により拡張した場合にも、あるいは栽培槽の充填物の劣化などによる粉末化や根毛先端部の新陳代謝により有機物等が生じた場合にも液肥の循環が阻害されることのない構造としたものである。
【００１２】
本発明の第１課題解決手段は、前述の栽培槽が１つの場合は、栽培槽の一端に設置した小型水中ポンプにより栽培槽の他端付近でＵターンして再び元のポンプ付近まで戻る形の導水管とし、これに送水することで、底部の液肥の循環を可能な構造とする。栽培槽が複数の場合には上下の栽培槽を架台に立体的に配置し、それを連結管で連接し、下段の栽培槽の片端に設置した小型水中ポンプにより送水して上段の栽培槽に液肥を供給した後下段の栽培槽に液肥を戻すといった循環で、上下の栽培槽に滞留する液肥を循環することにより、植生物に適量の液肥を供給するとともに、液肥中の酸素濃度を高め植生物にとって最適な育成環境となるような構造としたことにある。
【００１３】
また、第２の課題解決手段は、栽培槽を架台の重心位置が低くなるように設置し、例えば２段構成の緑化装置であれば、下段の栽培槽は上段のそれと同等または大きいものを配置することで架台がより安定する構造とし、架台の後の脚に突っ張り棒を組み立てられる構造とし、これを天井まで伸ばして、天井近くに付属させているアジャスト金具で天井と床の間の圧力で固定できるようにした。さらに必要な場合は、天井部あるいは床部をビス止めしてもよい。移動式とする場合は、突っ張り棒を天井まで伸ばすのではなく、架台の幅を広く取り４つの脚にストッパー付のキャスターを取り付けてもよい。
【００１４】
さらに、第３の課題解決手段は、この突っ張り棒の間に格子状のラックを取りつけ、二本の突っ張り棒を補強するとともに、上段に植生したつる性植物の伸張に応じて、立体的に緑化面積を構成できるようにしたことである。つる性植物が巻きつきタイプであるなら格子の目をくぐりながら自ら巻きついて伸長し、ヘデラカナリエンシスのように巻きつかないタイプであるなら、伸張するのに合わせて好みに合うように結束してやればよい。突っ張り棒の間に連接棒を設置し、格子状のラックの代わりにナイロンネットなどを張る方法を取ってもよい。もちろん、突っ張り棒、ラックやネットを設けず架台に栽培槽をのせた構造の緑化装置も可能であり、植栽物としてつる性植物ではなく野菜やイチゴなどの果物を栽培することも可能である。
【００１５】
さらに、第4の課題解決手段は、上記緑化装置を複数台併設してもっと広い空間を緑化する場合であるが、この場合個々の緑化装置をそのまま適当な間隔に並べてもよいが、別置きのプランターを複数台共用の液肥タンクとして使用し、その中に小型の水中ポンプを投入してそこから個々の緑化装置に液肥を給水してもよい。ポンプから送りだされた液肥の給水管を緑化装置上段の栽培槽の給水口に接続し、上段の栽培槽内の導水管を経て排水口を出た液肥は排水連結管により下段の栽培槽の排水受け口と連結され下段の栽培槽内の導水管を経て、上下の栽培槽で消費されなかった液肥を元のプランターに戻す構造としている。なお、別置きプランターの蓋として浅手のプランターを採用して、これに草花などを栽培してもよい。
【００１６】
上記第１の課題解決手段による作用は次のとおりである。栽培槽内の液肥を連続またはタイマーなどにより間欠的に循環させることで、液肥中の酸素の供給が円滑に行われ、夏の高温季においても液肥の腐敗もなく、ベランダや屋内で種々の植物を安定的に、しかも軽くて安価で、手間をかけずに長期にわたり育成できるようになる。
【００１７】
第２の課題解決手段による作用について述べると次のとおりである。すなわち、栽培槽を架台の重心位置が低くなるように配置しており、突っ張り棒で天井と床の間を突っ張り、固定しているので、栽培槽の幅と天井までの高さの積、すなわち２〜２．５平方メートル程度の広い範囲を小さくて軽い緑化設備で容易に緑化できる。
【００１８】
第３の課題解決手段による作用について述べると次のとおりである。この突っ張り棒の間のラックあるいは連接棒とネットがあることによってしっかりとした平面が確保され、上段の栽培槽に植生したつる性植物の伸張に応じて、立体的に緑化面積を構成できる。つる性植物が巻きつきタイプであるなら自ら巻きついて伸長し、ヘデラカナリエンシスのような巻きつかないタイプのつる性植物を用いる場合には、伸張に合わせて好みに合う形に結束してやればよい。なお、つる性植物をある程度自由に伸張させることで、平面からはみだしたつるや葉が立体的な構図を創り出し、より自然に近い状態となることが期待できる。
【００１９】
上記第４の課題解決手段による作用は次のとおりである。高層ビルによく見られるようなの広くて大きな窓のあるフロアーでは、緑化装置を複数台併設してさらに広い空間を緑化することが必要となる。この場合、別置きのプランターを複数台の緑化装置の共用の液肥タンクとして使用し、その中に必要数の小型の水中ポンプを投入してそこから個々の緑化装置に液肥を給水できるシステムにすれば、水の補給や肥料濃度のなど、日常の維持管理がさらに容易になる。横幅の広い緑化装置とすることも含め、第４の課題解決手段により、選択肢が広がる。
【発明の効果】
【００２０】
上述したように本発明による緑化装置によれば、水耕栽培などで、限られたスペースにおいて長期間にわたり植物を育成し、マンションのベランダやビルの窓際などを、容易かつ安価に緑化でき、水やりや除草といった手間のほとんどかからない緑化が可能となる。
【００２１】
この緑化装置をマンションのベランダの一部または全面に設置すれば、真夏の強烈な日差しに対し日陰効果と植物の蒸散効果により省エネの推進に大きく貢献できる。また、外部からは緑の美しいマンションとして建物の評価は高まり、街の景観も向上する。さらには、緑化面の内側は外部から見えないことから、洗濯物などを干してもプライバシーが守られ、外部から眺めても見苦しさもないため、従来のように洗濯物を乾燥機で乾燥し部屋干しする必要がなくなり、この省エネ効果も多大である。
【００２２】
また、この緑化装置を高層ビルなどの各フロアーの窓際に設置すれば、事実上不可能に近い高層ビルの壁面緑化とは異なり、はるかに安価で、安全かつ容易な植栽物の管理ができることから、高層ビル窓辺の全面的緑化がいとも簡単に実現できる。これにより、ガラス張りのビルの欠点である、太陽光の直射や付近の構造物からの輻射熱を生きた植物が遮断してくれることから冷房の設定温度を高くできるとともに、植物特有の蒸散効果も加わって省エネ効果は極めて大きいものとなる。さらに、植物の緑が近くにあることにより、目と心の癒しにもなり作業能率アップにもなるうえ、CO２吸収と酸素の供給とも相俟って、その効果は多大である。
【００２３】
本緑化装置を、いずれに設置するにしてもその効果は計り知れないものがある。例えば、２０２０年に決まった東京オリンピックまでに大都会東京の、ビルやマンション、学校や病院などに幅広く普及させれば、その建物を利用している人はもちろんのこと、街並みの景観全体を改善し、ヒートアイランド現象の緩和にも大きく貢献できる。このことは、本発明の緑化装置が、従来とは比べることができないほどの建設コスト、設置・撤去・移動の容易さ、メンテナンスフリーに近い維持管理の容易さがもたらす効果である。
【図面の簡単な説明】
【００２４】
【図１】本発明の一実施形態を示す緑化装置の概略図である。
【図２】本緑化装置に別置き液肥タンクを付属させた場合の正面断面図である。
【図３】本発明を一台の栽培槽で行う場合の実施形態を示す栽培槽内部の断面図である。
【発明を実施するための形態】
【００２５】
本発明の緑化装置は、高層ビルやマンションのベランダなどを緑化するにあたり、長年にわたる植栽物の育成が可能なように、栽培槽底部に給水管と排水管を連接する導水管を備えた水管系統を構成し、給水と排水のバランスを保ちながら、どのように植物の根が拡張した場合であっても、根の細部まで過不足なく給水することを可能とした栽培槽を採用している。床設置の架台に１乃至複数台の栽培槽をのせ、突っ張り棒で床と天井の間を固定し、突っ張り棒に取り付けたラックやネットにつる性植物などを下から上へと伸張させ、小型・軽量でありながら広い範囲の緑化面積が確保できる構造としている。突っ張り棒は２本を基本としているが１本の突っ張り棒で支え、この周りに回転可能な架台と栽培槽とラックを取り囲むように設置し、いろんな角度から緑化物を鑑賞できるようにすることもできる。。
【００２６】
栽培槽を１台とする場合には、栽培槽の一端の底部に設置した小型水中ポンプから栽培槽内部にＵ字型に引きまわした多数の給水孔を有する導水管に送水し、底部の液肥の循環を可能な構造とするが、複数の場合には栽培槽を架台に立体的に配置して上下の栽培槽を連結管で連接し、下段の栽培槽の一端に設置した小型水中ポンプにより送水し、上下の栽培槽の中の液肥を循環させ、植栽物に適量の液肥を供給するとともに、上段の栽培槽の排水口に設けた吸気塔で空気を吸い込み、下部の栽培槽への連結管内部で空気と液肥が混合され、栽培槽液肥中の酸素濃度を高め植生物にとって最適な育成環境となるような構造としている。
【００２７】
栽培槽の配置については、架台の重心位置が低くなるように考慮しており、例えば２段構成の緑化装置であれば、下段の栽培槽は上段のそれと同等または大きいものを配置することで重心を下げ架台がより安定する構造とし、架台の後部の脚に天井まで伸ばせる突っ張り棒を取り付け、天井近くに設置したアジャスト金具で、天井と床の間の圧力で固定するとよい。さらに必要な場合は、天井部あるいは床部をビス止めしてもよい。また、頻繁な移動が必要な場合には、架台の幅をやや広く取り４つの脚にストッパー付のキャスターを取り付ければ、安定した移動が可能であるし、ラックの高さを低くしたり、ラックなしとするタイプの緑化装置ももちろん可能である。
【００２８】
この突っ張り棒を２本とする場合は、この間に格子状のラックを取りつけることにより二本の突っ張り棒を補強するとともに、上段の栽培槽に植生したつる性植物の伸張に応じて、立体的に緑化空間を構成できるようにしている。つる性植物が巻きつきタイプであるなら自ら巻きついて伸長し、巻きつかないタイプのつる性植物であるなら、伸張するのに合わせて設置者の好み通りに結束してやればよい。もちろん突っ張り棒の天井に近い部分に連接棒を設置し、格子状のラックの代わりにナイロンネットなどを張る方法を取ってもよい。もちろん、突っ張り棒、ラックやネットを設けず架台に栽培槽をのせただけの構造の緑化装置も可能であり、植栽物として野菜やイチゴなどの果物を栽培することも可能である。
【００２９】
上記緑化装置を複数台併設してさらに広い空間を緑化する場合には、別置きのプランターを複数台共用の液肥タンクとして使用し、その中に小型の水中ポンプを投入してそこから個々の緑化装置に液肥を供給してもよい。液肥タンクの液肥送水管を緑化装置上段の栽培槽の給水口に接続し、上段の導水管を経て排水口を出た液肥を下段の栽培槽の給水口と連結させることで下段の栽培槽に下段の導水管を経て液肥を供給し、その排水口に出てきた余剰の液肥を元のプランターに戻し循環させる。。プランターの蓋として、浅手のプランターを乗せ、その中で草花などを栽培するとさらに美しくなる。
【００３０】
なお、本発明の緑化装置は、液肥循環方式としているが、灌水方式によって行うこともできる。液肥の供給は複数の栽培槽の間に設置している連接された水管系統、すなわち、下部栽培槽内に設置されている水中ポンプ吐出口、上部栽培槽へ液肥を押し上げるための給水連結管、上部の栽培槽底部に配置した導水管、下部栽培槽に液肥を戻すための排水連結管、下部栽培槽底部に配置した導水管で構成される。液肥タンクを別置きとした場合はタンク内の水中ポンプから上部栽培槽の給水口へ液肥が送り込まれ、上部導水管を経て下部連結管内を落下した液肥は下部栽培槽の導水管を経た後、同排水口に接続され、余剰の液肥が排水となって別置の液肥タンクに戻される。この場合下部栽培槽の水位レベルが液肥タンクの水位上限より上にあることが必要である。
【００３１】
本発明は維持管理が極めて簡単なことが大きな特長であるが、植物が吸収した水の補給と時折の液肥の原液補給は必要である。水の補給は緑化装置の設置台数が少ない場合は下部栽培槽の開口部へ水差しなどで補給する程度でよいが、台数が多い場合は、専用のカートに載せた給水用タンクを備えておき、これを用いて定期的に液肥タンクへ補給をするとよい。下部栽培槽には個々に水位レベルを示すためのレベル表示器が設置してあるが、同様にレベル表示器は液肥タンクにも設置しており、このレベルが満たされるよう必要水量を補給する。もちろん、全ての液肥タンクを自動給水方式にすることも可能である。
【実施例】
【００３２】
本発明を図示された実施例によってさらに具体的に説明するが、本発明はこれらの実施例に限定されるものではない。
【００３３】
図１は、本緑化装置を使用して、上段の栽培槽につる性植物を植栽し、下段の栽培槽１に種々の水耕に適した草花、野菜、果物類を植栽し、緑化を実施した場合の実施の一例を示すものであり、緑化装置全体の概略図である。上段栽培槽２にはつる性植物２０が植生されており、給水ポンプ４により汲みあげられた液肥は給水連結管６を通って上部栽培槽２底部に設置している導水管８に通水され、上部栽培槽２の内部へ給水を噴出する。導水管８を通過する液肥は上部栽培槽２の内部に一定水位レベルまで供給され余剰液肥は、吸気塔１７が備えられている上部栽培槽の排水口１０を出た後、排水連結管１１内部で吸気塔で吸引した空気と混合され、下部栽培槽１に戻される。
【００３４】
図２は別置きの液肥タンクを備えたタイプの正面断面図を示すものであり、主として複数台の緑化装置を設置する場合に、水の補給や施肥などの維持管理を容易にする目的で利用している。ここでは突っ張り棒やラック、併設する別の緑化装置は省略しているが、図に基づいて説明する。別置きの液肥タンク２３の中に投入された給水ポンプ４から液肥送水管１４を介して上部栽培槽２の給水口７へ液肥が送り込まれ、上部導水管８を経て下部栽培槽１との間に設置された排水連結管１１内を落下した液肥は下部栽培槽１の導水管１３を経た後、同排水口１５に接続され、上・下部量栽培槽で植物が吸収した残りの余剰の液肥が排水となって別置きの液肥タンク２３に戻される。この場合下部栽培槽の下部栽培槽排水口１５より液肥タンクの満水位レベルが高い場合は、下部栽培槽１から液肥がオーバーフローすることになるので注意を要する。。
【００３５】
図３は１台の栽培槽でつる性植物を育成して緑化を行う場合の、栽培槽２の内部を説明するものである。栽培槽２だけで液肥の循環が完結する構造としており、この場合も栽培槽内部における液肥の円滑な循環はつる性植物の長期安定的育成には絶対不可欠な条件となる。栽培槽２の片端に設置された給水ポンプ４にはＵ字型導水管１８が直結されており、この導水管には多数の給水孔が設けられており、栽培槽のもう一方の端近くでＵターンし、元の位置まで戻ったところで終端キャップで閉塞されている。導水管１４の給水孔からまんべんなく噴き出した液肥は植生物が吸収した残りは栽培槽２の底部などを通って給水ポンプ１０で再度送りだされ同一の栽培槽の中で循環することになる。
給水ポンプ４は根毛の侵入を防ぐように設計されたポンプハウジング２６に収納されており、その周囲は防根フィルター２７などで水だけを通す構造となっている。導水管１８はその周囲を微細な目のナイロン網などで巻かれており、給水孔に毛根が侵入しない構造としている。さらに、給水ポンプ４と導水管１８の上には防根シート２８がかぶせられており、厳重な棒近対策がなされている。このように導水管に施す防根対策、充填材に軽石を使用することなどは、栽培槽の台数に関係なく本発明の緑化装置の共通事項である。
【産業上の利用可能性】
【００３６】
住居や事業所などが都会に集中し、特に大都市においては、土地価格の問題も含めて、交通の利便性が良いところなどに高層ビルが増加してきている。そのような中で、生活空間に多くの緑を確保し、しかも簡単に維持できるというようなことは緑化の建設費や維持管理の難しさなどを考えると不可能に近いとの思いが、特に高い緑化知識を備え、実際に緑化に取り組んだ経験のある関係者の多くある。しかし、本緑化装置によれば、これまで課題となっていた建設コスト、維持管理の難易度、空間利用上の課題などほとんど全てクリアーできている。この結果、高層ビルの窓際や広いオフィスのパーテーション、マンションのベランダ・バルコニーなどに、フロアーの利用を制限することなく、安価で容易に緑化空間を得ることが可能になり、生活に潤いを与え、省エネや街の美観に大きな貢献ができる。
【符号の説明】
【００３７】
１…下段栽培槽、  ２…上段栽培槽、  ３…架台、  ４…給水ポンプ、  ５・・・下部給水口、  ６・・・給水連結管、  ７・・・上部給水口、  ８…上部導水管、  ９・・・給水孔、  １０・・・上部排水口、  １１…排水連結管、  １２・・・下部排水受け口、  １３・・・下部導水管、  １４・・・液肥送水管、  １５・・・下部排水口、  １６・・・下部排水管、  １７・・・吸気塔、  １８・・・Ｕ字型導水管、  ２０・・・つる性植物、  ２１・・・水耕用植物、  ２２・・・花き、  ２３・・・液肥タンク（別置きプランター）、  ２４・・・液肥タンク上蓋（花きプランター）、  ２５・・・充填材（軽石）、  ２６・・・ポンプハウジング、  ２７・・・防根フィルター、  ２８・・・防根シート、  ２９・・・仕切り板、  ３０・・・突っ張り棒、  ３１・・・天井アジャスト金具、  ３２・・・床アジャスト足またはキャスター、  ３３・・・天井、  ３４・・・フロアー
【図１】
2015112100.tif 000003
【図２】
2015112100.tif 000004
【図３】
2015112100.tif 000005